(57)【要約】【課題】  ラベルを剥がす無駄な手間を省いて効率良くリユースさせることができ、且つリユース時の外観を保つことができる事務用電子機器を提供する。【解決手段】  所定のシート状部材（相溶性ラベル）が貼り付けられる凹部（貼付部２）が形成された被貼付部材（外装部材Ｐ）を備え、この凹部を上段６０２と下段６０１とを有するよう多段状に凹設されたものとし、この上段６０２と下段６０１とが、下段６０１において貼り付けられたシート状部材が上段６０２において貼り付けられたシート状部材により覆い隠される配置関係となるように構成する。【選択図】  図３
2006064936.tif 000002
【特許請求の範囲】
【請求項１】
所定のシート状部材が貼り付けられる凹部が形成された被貼付部材を備える事務用電子機器において、
前記凹部は、上段と下段とを有するよう多段状に凹設されたものであり、
前記上段と下段とは、下段において貼り付けられたシート状部材が上段において貼り付けられたシート状部材により覆い隠される配置関係とされていることを特徴とする事務用電子機器。
【請求項２】
前記凹部の各段の高さは、各段において貼り付られるシート状部材の厚みに対応する高さとされていることを特徴とする請求項１記載の事務用電子機器。
【請求項３】
前記凹部は、各段におけるシート状部材の貼付領域が同心状に配置されるよう前記多段状に凹設されていることを特徴とする請求項１又は２記載の事務用電子機器。
【請求項４】
前記凹部は、各段におけるシート状部材の貼付領域が互いに相似形となるよう前記多段状に凹設されていることを特徴とする請求項１〜３のいずれかに記載の事務用電子機器。
【発明の詳細な説明】
【技術分野】
【０００１】
本発明は、複写機やプリンタ等の画像形成装置、或いはパーソナルコンピュータ等の情報処理装置といった事務用電子機器に関し、特に、ラベルが貼り付けられる構成を有した事務用電子機器に関するものである。
【背景技術】
【０００２】
従来、複写機やプリンタ等の画像形成装置、或いはパーソナルコンピュータ等の情報処理装置といった事務用電子機器（ＯＡ機器）においては、電気仕様や取り扱い上の注意等が記入されたシート状部材すなわちラベルが、被着対象である外装部材（外装樹脂部材）等に貼付（貼着）されている。近年、環境保護等により資源の有効利用を図ることが要請され、回収した装置や部品を廃棄せずに、例えば加熱溶融するなどして再生利用することが行われている。この場合、例えば互いに相溶性のない異種材料からなるラベル及び外装部材が共に溶融されてなる再生成形品では機械的強度が低下するなどといった品質低下を招くことになる。そこで、外装部材からラベルを剥がすことなく、そのまま外装部材と共に溶融させてリサイクル可能とされた相溶性ラベルが一般的に使用されるようになっている（例えば特許文献１参照）。
【０００３】
一方、このリサイクルに関し、市場から回収した事務用電子機器に対して清掃やメンテナンス等を施し、その後、この事務用電子機器自体を再利用し、所謂リユース機として販売するという事例も増えてきている。
【特許文献１】特開平８−３４０１８２号公報
【発明の開示】
【発明が解決しようとする課題】
【０００４】
上記のように事務用電子機器のリユース時には、回収した外装部材を清掃して再出荷するが、その際ラベル表面の損傷状態等により、当該ラベルを剥がしたり、或いは新たなラベルを上貼りしたりしていた。
【０００５】
しかしながら事務用電子機器をリユースするにあたり、せっかく貼り付けた相溶性ラベルを剥がしてしまうのは、手間が掛かり経済的ではない。また、ラベルを上貼りするにしても、先に貼付していたラベル（先貼りラベル）との重ね合わせが上手くいかず、すなわち例えば図１０（ａ）に示すように上貼りラベルＵが先貼りラベルＳの部分で盛り上がった状態となったり、或いは図１０（ｂ）に示すように先貼りラベルＳに対する上貼りラベルＵの位置がずれた状態となったりして、外観（外装の美観）を損う場合が多かった。
【０００６】
本発明は上記事情に鑑みてなされたもので、ラベルを剥がす無駄な手間を省いて効率良くリユース（再利用）させることができ、且つリユース時の外観を保つことが可能な事務用電子機器を提供することを目的とする。
【課題を解決するための手段】
【０００７】
本発明の請求項１に係る事務用電子機器は、所定のシート状部材が貼り付けられる凹部が形成された被貼付部材を備える事務用電子機器において、前記凹部は、上段と下段とを有するよう多段状に凹設されたものであり、前記上段と下段とは、下段において貼り付けられたシート状部材が上段において貼り付けられたシート状部材により覆い隠される配置関係とされていることを特徴とする。
【０００８】
上記構成によれば、被貼付部材におけるシート状部材が貼り付けられる凹部（貼付部）が、下段で貼り付けたシート状部材が上段で貼り付けたシート状部材により覆い隠される配置関係となるよう上段と下段とを有して多段状に凹設されてなるため、換言すれば、被貼付部材の凹部が、下段で貼り付けたシート状部材を上段で貼り付けたシート状部材によって覆い隠すべく各段における該シート状部材の貼付領域が下段から上段へ向けて段階的に大きくなるよう、（その周縁部が）階段状に形成された状態で凹設されてなるため、例えば機器のリユース前には、凹部の最下段（底面部）にシート状部材（第１ラベルとする）を貼り付けておき、リユースの際には、この最下段の次の上段において第１ラベルよりも大きな第２ラベルを（第１ラベルの上面に面接触させて）貼り付け、さらにリユースを行うような場合には、前記上段のさらに上段（この上段に対しては前記上段は“下段”ということになる）において第２ラベルより大きな第３ラベルを貼り付ける、というようにして下段から上段へ順に下段のラベル全体を隠すようにラベルを貼り付けていく構成とすることができる。これにより、リユース等を行う際に、前回に貼付したシート状部材（相溶性ラベル）を剥がすといった無駄な手間が省けて効率良くリユース（再利用）させることができるとともに、上段のラベルが下段のラベルに対して盛り上がった状態となることなく下段のラベルを隠すことができ、機器の外観を保つことができる。
【０００９】
請求項２に係る事務用電子機器は、請求項１において、前記凹部の各段の高さは、各段において貼り付られるシート状部材の厚みに対応する高さとされていることを特徴とする。この構成によれば、凹部が、各段の高さが当該各段において貼り付られるシート状部材の厚みに対応する高さとなるよう形成されているため、すなわち凹部の各段は、各段の高さが各段のシート状部材の厚みと同じ（或いは貼り付けた後の厚みの収縮を考慮した高さ）となるよう形成されているため、最上段のシート状部材の上面と外装部材の表面とに段差が生じたり、上段で貼り付けたシート状部材における下段のシート状部材の部分が、下段の高さと下段でのシート状部材の厚みが一致しないこと等により陥没・突出した状態となるのを防止することができ、より一層、機器の外観を保つことができる。
【００１０】
請求項３に係る事務用電子機器は、請求項１又は２において、前記凹部は、各段におけるシート状部材の貼付領域が同心状に配置されるよう前記多段状に凹設されていることを特徴とする。この構成によれば、凹部が、各段におけるシート状部材の貼付領域（各段の周形状）が同心状に配置されるよう多段状に凹設されてなるため、上段のシート状部材における、下段のシート状部材の周縁部よりも外側の部分の幅が、上下左右略対称となるような状態で（下段のシート状部材が上段のシート状部材からはみ出すことなく）当該シート状部材を下段から上段へと順に貼り付けていくことが可能となり、シート状部材を上貼りする際に、より容易に且つ確実に下段のシート状部材を覆い隠すことができる。
【００１１】
請求項４に係る事務用電子機器は、請求項１〜３のいずれかにおいて、前記凹部は、各段におけるシート状部材の貼付領域が互いに相似形となるよう前記多段状に凹設されていることを特徴とする。この構成によれば、凹部が、各段におけるシート状部材の貼付領域が互いに相似形となるよう多段状に凹設されてなるため、凹部の構造の簡素化を図ることができるとともに、この凹部に貼り付けるラベルを、互いに相似な同じ形状（例えば長方形）に統一させてより簡易な構成にすることができる。
【発明の効果】
【００１２】
請求項１記載の発明によれば、リユース等を行う際に、前回に貼付したシート状部材（相溶性ラベル）を剥がすといった無駄な手間が省けて効率良くリユースさせることができるとともに、上段のラベルが下段のラベルに対して盛り上がった状態となることなく下段のラベルを隠すことができ、機器の外観を保つことができる。
【００１３】
請求項２記載の発明によれば、上段で貼り付けたシート状部材における下段のシート状部材の部分が、下段の高さと下段でのシート状部材の厚みが一致しないこと等により陥没した状態となるのを防止することができ、より一層、機器の外観を保つことができる。
【００１４】
請求項３記載の発明によれば、上下左右略対称となるような状態で（下段のシート状部材が上段のシート状部材からはみ出すことなく）当該シート状部材を下段から上段へと順に貼り付けていくことが可能となり、シート状部材を上貼りする際に、より容易に且つ確実に下段のシート状部材を覆い隠すことができる。
【００１５】
請求項４記載の発明によれば、凹部の構造の簡素化を図ることができるとともに、この凹部に貼り付けるラベルを、互いに相似な同じ形状に統一させてより簡易な構成にすることができる。
【発明を実施するための最良の形態】
【００１６】
以下、本発明に係る事務用電子機器について図面を参照しながら説明する。図１は、本発明に係る事務用電子機器の一例である複写機１（画像形成装置）の内部構成を概略的に示す断面図である。複写機１は、画像形成部１００、画像形成部１００を備える本体部１０の上方に設置された原稿給送部２００、本体部１０の上部に設置された原稿読取部３００、本体部１０の下部に設置された給紙部４００、本体部１０のフロント部に設置された操作表示部５００を備えている。
【００１７】
原稿読取部３００は、原稿の読み取りを行って当該原稿に対応する画像データを生成するものである。原稿読取部３００は、光学的に取得した原稿の画像から画像データを生成するＣＣＤ（Charge Coupled Device）センサ及び露光ランプ等を備えたスキャナ３０１などからなり、その上面に、装置原稿読み取り用の第１プラテンガラス３０２と、ＡＤＦ原稿読み取り用の第２プラテンガラス３０３とを備えている。原稿読取部３００は、第１プラテンガラス３０２上に載置された原稿、あるいは原稿給送部２００によって第２プラテンガラス３０３に接するようにして搬送（移動）される原稿を走査しつつ取得した画像データを後述する制御部２０へ出力する。
【００１８】
原稿給送部２００（ＡＤＦ）は、原稿読取部３００（第２プラテンガラス３０３の原稿読み取り位置）へ原稿を給送するとともに、当該原稿読取部３００によって読み取られた原稿を原稿給送部２００の排出部へ排出するものである。この原稿給送部２００は、装置の背面側を回動支点（回転中心軸）として本体部１０（原稿読取部３００）の上面に対して可倒式に構成されており、第１プラテンガラス３０２（第２プラテンガラス３０３）の上面を開放するように上方かつ後方側に開くように持ち上げることにより、第１プラテンガラス３０２の上面に、例えば見開き状態にされた書籍等の読み取り用原稿を載置することが可能に構成されている。
【００１９】
給紙部４００は、画像形成部１００に対して用紙の給紙を行うものである。給紙部４００は、各サイズの用紙（記録紙）が収納される給紙カセット４０１、４０２、及び本体部１０の一側方部に開閉自在に構成された手差しトレイ４０３１等からなる手差し給紙部４０３を備えている。また、給紙部４００は、給紙カセット４０１、４０２から画像形成部１００へ用紙を搬送する搬送経路４０４、手差し給紙部４０３から画像形成部１００へ用紙を搬送する搬送経路４０５を備えている。各給紙カセット４０１、４０２及び手差し給紙部４０３は、収納されている用紙を取り出すためのピックアップローラ４０６、４０７、４０８、用紙を１枚ずつ各搬送経路に送り出す給紙ローラ４０９、４１０、４１１を備えている。搬送経路４０４には、用紙を搬送する搬送ローラ４１２、４１３、及び搬送されてくる用紙を画像形成部１００の手前で待機させるためのレジストローラ４１４が設けられている。なお、搬送経路４０５は、レジストローラ４１４の上流側で搬送経路４０４と合流している。
【００２０】
画像形成部１００は、給紙部４００によって搬送されてきた用紙に対して所定の画像を形成する（印刷する）ものである。画像形成部１００は、同図中に示す矢印方向に回転可能に支持された感光体ドラム１０１、この感光体ドラム１０１の周囲に配設された帯電部
１０２、現像部１０３、クリーニング部１０４、レーザ走査ユニット１０５及び転写ロー
ラ１０６、転写ローラ１０６の下流側に配設された定着ローラ１０７を備えている。
【００２１】
帯電部１０２は、感光体ドラム１０１の表面を所定電位に均一に帯電させるものである。レーザ走査ユニット１０５は、後述する画像記憶部３０等から送信されてきた画像データに基づき、レーザービームを感光体ドラム１０１の表面に照射し、感光体ドラム１０１表面に静電潜像を形成するものである。現像部１０３は、静電潜像にトナーを付着させて画像（原稿画像）を顕在化させるものである。転写ローラ１０６は、搬送されてきた用紙を感光体ドラム１０１に押し付けた状態で、感光体ドラム１０１上に顕在化したトナー像を当該用紙に転写するものである。定着ローラ１０７は、用紙に転写されたトナー像を定着させるものである。定着ローラ１０７は、図略のヒートローラ及び圧ローラからなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００２２】
本体部１０の上部及び側面部には、用紙排出トレイ１０８、１０９が設けられており、定着ローラ１０７から搬送されてきた用紙は、それぞれ排出ローラ１１０、１１１によって用紙排出トレイ１０８、１０９へ排出される。なお、用紙の搬送方向は、排出分岐ガイド１１２によって、排出ローラ１１０側と排出ローラ１１１側とに切り換え可能に構成されている。
【００２３】
操作表示部５００は、ユーザの操作に応じて所定の指示入力を行うものである。操作表示部５００は、ユーザが印刷実行指示を入力するためのスタートキー５０１と、印刷部数等を入力するためのテンキー５０２と、各種複写動作の設定等を入力するための操作ガイド情報等を表示すると共に、種々の操作ボタン等が表示される液晶表示器（ＬＣＤ）等からなる表示器５０３（ディスプレイ）とを備えている。
【００２４】
図２は、図１に示す複写機１の概略構成を示すブロック図である。複写機１は、装置全体の動作制御を司る制御部２０を備えている。制御部２０は、複写機１の制御プログラムを記憶するＲＯＭ（Read Only Memory）、一時的にデータを保管するＲＡＭ（Random Access Memory）、及び上記制御プログラム等をＲＯＭから読み出して実行するマイクロコンピュータ等からなり、操作表示部５００等において入力された所定の指示情報や、本装置の各所に設けられた各種センサからの検出信号に応じて装置全体の制御を行うものである。この制御部２０は、上記画像形成部１００、原稿給送部２００、原稿読取部３００、給紙部４００及び操作表示部５００、並びに画像記憶部３０及び画像処理部４０などが接続されている。
【００２５】
画像記憶部３０は、原稿読取部３００によって読み取られた原稿の画像データや図略のネットワークＩ／Ｆ部等を介して外部装置から送信されてきた画像データを一時的に記憶するメモリである。
【００２６】
画像処理部４０は、上記画像データに対する各種画像処理、例えばガンマ処理や拡大縮小処理を行うものである。画像処理部４０では、例えば原稿読取部３００による読み取りによって得られた原稿画像に対する画像データのＡ／Ｄ変換が行われ、当該Ａ／Ｄ変換された画像データを用いて上記各種画像処理が行われる。
【００２７】
ところで、複写機１は、一般的に、当該複写機１の外装部材、すなわち本体部１０や原稿給送部２００、原稿読取部３００等の外周壁部や上面部を構成する外装部材の所定位置に、複写機１の電気仕様や取り扱い上の注意等が記載（印刷）されたラベルが貼り付けられている。以下、本発明の特徴点である、当該外装部材におけるラベルが貼り付けられる箇所（貼付部）の構成及びこのラベルについて詳述する。
【００２８】
上記外装部材に貼り付けられるラベルは、例えば樹脂シート、樹脂フィルム、あるいは所定の材質からなる可撓性或いは剛性を有するシート状（又は板状）の部材からなり（これらを纏めてシート状部材という）、所定の被貼付部材（ここでは外装部材）に対して貼り付け可能に構成された、具体的には例えばその裏面に粘着材等が塗布されてなる所謂シール（デカル）として構成されたものである。このラベルは、ここでは、上記背景技術で述べたように、共に溶融した場合の再生成形品における機械的強度低下等の防止を図るべく外装部材と相溶性を有する材料からなる相溶性ラベルが採用されている。なお、複写機１の外装部材のことを外装部材Ｐとする。外装部材Ｐは所定の樹脂、例えば熱可塑性樹脂からなる樹脂部材であり、溶融して再生成形品に加工するなどしてリサイクルさせることが可能となっている（ただし、ここでは外装部材Ｐやラベルの溶融によるリサイクルを行うのではなく複写機１自体がリユースされる）。
【００２９】
図３は、複写機１の外装部材Ｐにおける、ラベルが貼り付けられる箇所（貼付部）の構成を説明する斜視図である。図３に示すように、外装部材Ｐにおけるラベルの貼付部２（凹部）は、上段６０２と下段６０１とを有するよう多段状（複数段状）に凹設されており、これら各段は、下段６０１において貼り付けられたラベルが上段６０２において貼り付けられたラベルによって覆い隠される配置関係とされている。換言すれば、貼付部２は、下段６０１で貼り付けたラベルを上段６０２で貼り付けたラベルによって覆い隠されるべく各段におけるラベルの貼付領域が下段から上段へ向けて段階的に大きくなるよう、その周縁部が階段状に形成されている。
【００３０】
この貼付部２の各段の面、すなわち下段６０１における底面６０１０や上段６０２における面（以降、階段状の段部の面のことを段面；段面６０２０という）は、平面状すなわち外装部材Ｐの表面に対して水平面となるように形成されている。
【００３１】
ただし、上記各段におけるラベルの貼付領域とは、図３に示すように、各段において形成される領域６０３や領域６０４の部分（ここでは当該各領域は上面視略長方形となっている）を示すものとする。また、各段における上記貼付領域の形状のことを、適宜「各段の形状」と表現する。さらに、貼付部２の多段状の凹設部における最下段（底面部）すなわち下段６０１の段数目を、１段目と表現し、それより上段に向かって２段目、３段目・・・と表現するものとする。
【００３２】
図４は、図３における下段６０１にラベルが貼り付けられた状態の一例を示す図であり、（ａ）は、その状態の斜視図を、（ｂ）はその状態の側断面図を示している。図４（ａ）、（ｂ）に示すように、例えば複写機１の初回出荷時等においては、貼付部２の１段目（下段６０１）にラベルＡが貼り付けられる。この場合、ラベルＡの下面全体が１段目の底面に接着されるようにして貼り付けられてもよい。また、ラベルＡのサイズが１段目の貼付領域（領域６０３）より多少小さいサイズとされており、符号６０５に示すように下段６０１の壁面６０１１とラベルＡの端辺部との間に隙間を有した状態で貼り付けられてもよい。勿論、この隙間が生じないようにラベルＡのサイズと下段６０１の貼付領域のサイズとが精度良く合わされていてもよい。
【００３３】
図５は、図４に示す下段のラベル貼り付け状態からさらに上段にラベルが上貼りされた状態の一例を示す図であり、（ａ）は、その状態の斜視図を、（ｂ）はその状態の側断面図を示している。図５（ａ）、（ｂ）に示すように、例えば複写機１をリユースさせるべく回収して清掃やメンテナンス等を行う際に、貼付部２の１段目のラベルＡの上から、２段目（上段６０２）においてラベルＢが貼り付けられる。この場合、２段目の貼付領域（領域６０４）は、１段目の貼付領域（領域６０３）よりも大きく形成されているため、ラベルＢは、ラベルＡの上面と段面６０２０とに亘って貼り付けられる。このラベルＢの貼り付けは、ラベルＡと同様に、例えばラベルＢの下面がラベルＡの上面及び段面６０２０に接着されるようにして貼り付けられてもよい。また、ラベルＢのサイズが２段目の貼付領域より多少小さいサイズにされており、符号６０６に示すように上段６０２の壁面６０２１とラベルＢの端辺部との間に隙間を有した状態で貼り付けられてもよい。この場合も、この隙間が生じないようラベルＢのサイズと上段６０２の貼付領域のサイズとが精度良く合わされていてもよい。
【００３４】
ここで、図３では、貼付部２が下段６０１、上段６０２と２段構成となるよう多段状に凹設されてなるが、これに限定されず例えば図６に示すように２段よりも多い段数で構成されていてもよい（図６では３段構成となっている）。図６に示す外装部材Ｐの貼付部２においては、各段の形状が図３と同様に上面視略長方形に相似に形成されたものがそれぞれ同心状に、符号６３１に示す１段目（段部６３１；底面部）、符号６３２に示す２段目（段部６３２）、符号６３３に示す３段目（段部６３３）となるように形成・配置されている。
【００３５】
このように、外装部材Ｐのラベルの貼付部２の構成を、複写機１のリユース前には、貼付部２の最下段部（底面部）に第１番目のラベルＡを貼り付けておき、リユースの際には、当該最下段の次の上段においてラベルＡよりも大きな第２番目のラベルＢを（ラベルＡの上面に面接触させて）貼り付け、さらにリユースを行うような場合には、この上段のさらに上段においてラベルＢより大きな第３番目のラベルを貼り付ける、というようにして下段から上段へ順に下段のラベル（ラベル全体）を隠すようにラベルを上貼りしていくことが可能な構成とすることができる。これにより、リユース等を行う際に、せっかく前回貼り付けたラベル（相溶性ラベル）を剥がすといった無駄な手間を省き、効率良くリユースさせることができるとともに、上記図１０（ａ）に示すように上段のラベルが下段のラベルに対して盛り上がった状態となることなくラベルの上貼りにより下段のラベルを隠すことが可能となり、装置の外観を保つことができる。
【００３６】
ところで、貼付部２の各段の高さ（上記壁面６０１１、６０２１の高さ；幅）は、各段において貼り付られるラベルＡ、Ｂの厚みに対応する高さとされている。すなわち貼付部２の各段は、当該各段の高さが、各段に貼り付けられるラベルの厚み（板厚）と同じ（或いはラベルを貼り付けた後の厚みの収縮を考慮した高さ）となるよう形成されているため、図４（ａ）及び図５（ｂ）に示すように、段面６０２０とラベルＡの上面とが同じ高さとなる（同平面内にある）ように、及び外装部材Ｐの表面とラベルＢの上面とが同じ高さとなるように貼り付けることが可能となり、したがって、最上段のラベルＢの上面と外装部材Ｐの表面とに段差が生じたり、上段で貼り付けたラベルにおける下段のラベルの部分が、下段の高さと下段でのシート状部材の厚みが一致しないこと等により陥没或いは突出した状態となるのを防止することができ、より一層、装置の外観を保つことができる。なお、当該各段の高さは、互いに異なるものであってもよい。この場合、各段に貼り付けるラベルの厚みはそれぞれこの各段の高さに合わされた厚みとされている。
【００３７】
また、貼付部２の各段は、図３に示すように（図６の場合も同様）、各段の形状（ラベルの貼付領域）が例えば符号６０７に示す各貼付領域の図心位置を中心として同心状に配置されるよう形成されている。これにより、上段のラベルＢにおける下段のラベルＡの周縁部よりも外側の部分（ラベルＡからはみ出す部分）の幅が、上下左右略対称となるような状態で（下段のラベルＡが上段のラベルＢからはみ出すことなく）、当該ラベルを下段から上段へと順に貼り付けていくことが可能となり、ラベルを上貼りする際に、より容易に且つ確実に下段のラベルを覆い隠すことができる。
【００３８】
なお、貼付部２は、図３、６に示すように、各段の形状が互いに相似な形となるよう形成されており（各形状の縦横の向きも同じとなっている）、これにより当該貼付部２の構造の簡素化を図る（貼付部２の設計を容易にする）ことができるとともに、この貼付部２に貼り付けるラベルを、互いに相似な同じ形状（ここでは長方形）に統一させてより簡易な構成にすることができる。ただし、この相似形は、ここでの長方形に限定されず、正方形や楕円（真円）等の種々の形状が採用可能である。
【００３９】
また、貼付部２は、外装部材Ｐの表面側だけでなく、裏面側に設けられる構成、例えば複写機１の外装部材Ｐとしての所定の開閉カバー等の内面（背面）側に設けられていてもよい。さらに本発明は、以下の態様をとることができる。
【００４０】
（Ａ）各段におけるラベルの貼付領域は、上述のように同心状に形成されてなくともよく、例えば図７に示すように、偏心された状態に形成されていてもよい。ただし、図７に示す段部６３１ａ、６３２ａ及び６３３ａは、それぞれ図６に示す段部６３１、６３２及び６３３に対応している。なお、当該偏心についても、図７に示すように一方向に偏心されたものに限定されず、例えば左右方向又は上下方向に交互に（或いは各段において任意な方向に）偏心されていてもよい。
【００４１】
（Ｂ）上記（Ａ）の態様に関し、例えば図８（ａ）、（ｂ）に示すように、各段の形状（貼付領域）が、何れかの端辺部で一致するように偏心されて形成されていてもよい。図８（ａ）は、例えば図３における下段６０１（図８では下段６０１ａ）が上段６０２（図８では上段６０２ａ）の端辺部６４０（上端辺と右端辺との両端辺部からなる）と一致した状態を示しており、図８（ｂ）は、同じく下段６０１ａが上段６０２ａの端辺部６５０（右端辺部）と一致した状態を示している。なお、この場合の貼付部２ａの構成は、例えば図９の側断面図に示すように、各段における何れかの端辺部（端辺部６４０、６５０）が、壁面６６０に示すように多段でない１段からなる壁面として形成されていてもよい。
【００４２】
（Ｃ）各段の形状（貼付領域）は、図３、６の長方形に示すように全て相似形に形成されずともよく、この場合、例えば１段目、３段目・・・と奇数段目が長方形、２段目、４段目・・・と偶数段目が楕円形、といったように交互に異なる形状とされてもよいし、１段目が長方形、２段目が楕円形、３段目が正方形・・・といったように段毎に異なる形状とされてもよい。
【００４３】
（Ｄ）各段の面（例えば上記底面６０１０や段面６０２０）は水平面でなくともよく、例えば外装部材Ｐの表面に対して所謂テーパ状となるように傾斜面で形成されていてもよい（この場合、ラベルも上記貼付部のテーパに対応して一端から他端にかけて厚みが徐変されてなるような形状とされている。ただしこのラベルを貼り付けると上面は水平となる）。また、当該各段の面（底面部や段面）は平面状に形成されてなくともよく、例えばラベルの貼り付け面の凹凸に合わせて凹／凸状に形成されていてもよい。ただし、この場合においても、最上段のラベルの上面と外装部材Ｐの表面とは同じ高さ且つ凹凸の無い平面状に構成されていることが、より良い外観を得る上で好ましい。
【００４４】
（Ｅ）本発明は、上記複写機１に限らず、例えば複合機、ファクシミリ、プリンタ等の画像形成装置、或いはパーソナルコンピュータ（ＰＣ）等の情報処理装置などであってもよく、要は、リサイクルの要請がある事務機器に適用されるものである。
【図面の簡単な説明】
【００４５】
【図１】本発明に係る事務用電子機器の一例である複写機の内部構成を概略的に示す断面図である。
【図２】図１に示す複写機の概略構成を示すブロック図である。
【図３】複写機の外装部材における、ラベルが貼り付けられる箇所（貼付部）の構成を説明する斜視図である。
【図４】図３における下段にラベルが貼り付けられた状態の一例を示す図であり、（ａ）は、その状態の斜視図を、（ｂ）はその状態の側断面図を示している。
【図５】図４に示す下段のラベル貼り付け状態からさらに上段にラベルが上貼りされた状態の一例を示す図であり、（ａ）は、その状態の斜視図を、（ｂ）はその状態の側断面図を示している。
【図６】貼付部の一変形例を示す図である。
【図７】貼付部の一変形例を示す図である。
【図８】貼付部の一変形例を示す図であり、（ａ）は、図３における下段が上段の端辺部（上端辺と右端辺との両端辺部からなる）と一致した状態を示しており、（ｂ）は、同様に下段が上段の端辺部（右端辺部）と一致した状態を示す図である。
【図９】図８の状態における側断面図である。
【図１０】従来の貼付部の構成を説明する図であり、（ａ）は、上貼りしたラベルが盛り上がった状態を示す図であり、（ｂ）は、先貼りしたラベルに対する上貼りラベルの位置がずれた状態を示す図である。
【符号の説明】
【００４６】
１  複写機（事務用電子機器）
２、２ａ  貼付部（凹部）
６０１、６０１ａ  下段
６０２、６０２ａ  上段
６０３、６０４  領域（貼付領域）
６０１０  底面
６６０、６０１１、６０２１  壁面
６０２０  段面
Ａ、Ｂ、Ｓ、Ｕ  ラベル（シート状部材）
Ｐ  外装部材（被貼付部材）
【図１】
2006064936.tif 000003
【図２】
2006064936.tif 000004
【図３】
2006064936.tif 000005
【図４】
2006064936.tif 000006
【図５】
2006064936.tif 000007
【図６】
2006064936.tif 000008
【図７】
2006064936.tif 000009
【図８】
2006064936.tif 000010
【図９】
2006064936.tif 000011
【図１０】
2006064936.tif 000012